(57)【要約】【課題】モニタ装置において、リモコン画像を見ながらリモコンを操作する際に、所望の操作に対応するアイコン画像を容易に確認でき、ユーザによる操作の手間を低減する。【解決手段】ユーザは、ディスプレイに表示されるリモコン画像を見ながらリモコンを操作してＴＶ受像機を操作する。リモコン画像には、リモコンを用いて操作可能な操作キーを表すアイコン画像が含まれる。アイコン画像を変更する際に、まず、図（ａ）に示す表示状態のときに、ユーザは、リモコンのタッチパネルに触れることにより、アイコン画像Ｂ１を選択する。そして、図（ｂ）中の点線矢印方向にアイコン画像Ｂ１を移動させて、アイコン画像Ａ１に重ねると、図（ｃ）に示すように、操作キー「ＩＮＦＯ」を表すアイコン画像がアイコン画像Ｂ１に変更される。すなわち、操作キー「ＩＮＦＯ」を表すアイコン画像が丸型からハート型に変更される。【選択図】図５
2012119998.tif 000002
【特許請求の範囲】
【請求項１】
ユーザによって操作されるポインティングデバイスを有し、ユーザによる該ポインティングデバイスの操作に応じたリモコン信号を送信するリモコンと、
前記リモコンから送信されたリモコン信号を受信する受信手段と、
前記リモコンによって操作可能な操作のそれぞれに対応付けられた操作キーを表すアイコン画像を含むリモコン画像を表示する表示手段と、
前記操作キーに対応する前記アイコン画像を記憶するアイコン画像記憶手段と、
前記受信手段によって受信されたリモコン信号に基づいて、自装置各部を制御する制御手段とを備えるモニタ装置において、
前記リモコンは、ユーザによって前記ポインティングデバイスが操作されることにより、前記操作キーを表すアイコン画像の変更を指示するリモコン信号を送信可能であり、
前記制御手段は、前記リモコンから前記操作キーを表すアイコン画像の変更を指示するリモコン信号を受信した場合、該アイコン画像の変更を指示するリモコン信号の内容に基づき、変更後のアイコン画像を前記アイコン画像記憶手段に記憶することを特徴とするモニタ装置。
【請求項２】
アイコン画像が記憶された外部記憶媒体を接続するための接続手段をさらに備え、
前記リモコンは、ユーザによる前記ポインティングデバイスの操作により、前記操作キーを表すアイコン画像を、前記接続手段に接続された前記外部記憶媒体に記憶されたアイコン画像に変更するよう指示するリモコン信号を送信可能であり、
前記制御手段は、前記リモコンから、前記操作キーを表すアイコン画像を前記外部記憶媒体に記憶されたアイコン画像に変更するよう指示するリモコン信号を受信した場合、該アイコン画像の変更を指示するリモコン信号の内容に基づき、変更後のアイコン画像を前記アイコン画像記憶手段に記憶することを特徴とする請求項１に記載のモニタ装置。
【請求項３】
前記ポインティングデバイスはタッチパネルであることを特徴とする請求項１又は請求項２に記載のモニタ装置。
【発明の詳細な説明】
【技術分野】
【０００１】
本発明は、リモコンを用いて操作可能なモニタ装置に関する。
【背景技術】
【０００２】
近年、遠隔操作するためのリモコンを用いて操作可能なテレビジョン受像機等のモニタ装置が普及している。この種のモニタ装置において、リモコンを用いて操作を行う際に、モニタ装置の画面上にリモコンに模したリモコン画像が表示され、ユーザがこのリモコン画像を見ながらリモコン操作を行う構成のものがある。モニタ装置の画面に表示されるリモコン画像には操作キーを表すアイコン画像が含まれており、ユーザが、リモコン画像内の所望のアイコン画像（例えば、「ＥＰＧ表示」のアイコン画像）を選択することにより、このアイコン画像に対応する操作（例えば、ＥＰＧの表示）を指示できる。
【０００３】
ところで、近年、多種多様な機能を備えたモニタ装置が多く、操作キーを表すアイコン画像の数も多くなる傾向がある。このため、リモコン画像上に同じようなアイコン画像が多くなるので、ユーザがアイコン画像を見ただけでは、このアイコン画像に対応する操作が分からないことが多い。従って、同様のアイコン画像の中から所望の操作に対応したアイコン画像を探し出さなければならないため、ユーザにとってリモコン操作が煩雑であるという問題がある。
【０００４】
これに対して、特許文献１には、表示部を備えた機器と、この機器を遠隔操作するリモコンとを含むと共に、表示部に表示されたリモコンの操作ボタンと１以上の機能又はサービスとを関連付ける第２手段を有するリモコンシステムが開示されている。しかしながら、このリモコンシステムでは、上記問題を解決できない。
【０００５】
また、特許文献２には、１又は複数のコンテンツアイコン及び機器アイコンをモニタ画面上に表示し、任意のコンテンツアイコンを任意の機器アイコンにドラッグアンドドロップすることにより、該機器アイコンに対応するアプリケーションを実行させることができる電子機器が開示されている。しかしながら、この電子機器であっても、上記問題を解決できない。
【０００６】
また、特許文献３には、操作情報を含むボタンデータを記憶するボタンデータ記憶手段と、操作ボタンのディスプレイ画面上での表示位置を設定するボタン位置設定手段と、ボタン位置設定手段によって設定された表示位置と、ボタンデータ記憶手段に記憶されたボタンデータとを関連付けて記憶するボタン位置記憶手段とを備えた双方向コントローラが開示されている。しかしながら、この双方向コントローラでは、操作ボタンのディスプレイ画面上での表示位置を任意に記憶できるが、操作キーに対応するアイコン画像を何ら変更させるものではないため、アイコン画像と操作との対応関係を分かり易くすることは難しく、上記問題を解決できない。
【先行技術文献】
【特許文献】
【０００７】
【特許文献１】特開２００５−１４２６７５号公報
【特許文献２】特開２００７−１０４５６７号公報
【特許文献３】特開２００１−２４２９９５号公報
【発明の概要】
【発明が解決しようとする課題】
【０００８】
本発明は、上述した問題点を解決するためになされたものであり、リモコン画像を見ながらリモコンを操作する際に、所望の操作に対応するアイコン画像を容易に見つけることができるようにして、ユーザによる操作の手間を低減できるモニタ装置を提供することを目的とする。
【課題を解決するための手段】
【０００９】
上記目的を達成するために請求項１の発明は、ユーザによって操作されるポインティングデバイスを有し、ユーザによる該ポインティングデバイスの操作に応じたリモコン信号を送信するリモコンと、前記リモコンから送信されたリモコン信号を受信する受信手段と、前記リモコンによって操作可能な操作のそれぞれに対応付けられた操作キーを表すアイコン画像を含むリモコン画像を表示する表示手段と、前記操作キーに対応する前記アイコン画像を記憶するアイコン画像記憶手段と、前記受信手段によって受信されたリモコン信号に基づいて、自装置各部を制御する制御手段とを備えるモニタ装置において、前記リモコンは、ユーザによって前記ポインティングデバイスが操作されることにより、前記操作キーを表すアイコン画像の変更を指示するリモコン信号を送信可能であり、前記制御手段は、前記リモコンから前記操作キーを表すアイコン画像の変更を指示するリモコン信号を受信した場合、該アイコン画像の変更を指示するリモコン信号の内容に基づき、変更後のアイコン画像を前記アイコン画像記憶手段に記憶するものである。
【００１０】
また、請求項２の発明は、請求項１に記載のモニタ装置において、アイコン画像が記憶された外部記憶媒体を接続するための接続手段をさらに備え、前記リモコンは、ユーザによる前記ポインティングデバイスの操作により、前記操作キーを表すアイコン画像を、前記接続手段に接続された前記外部記憶媒体に記憶されたアイコン画像に変更するよう指示するリモコン信号を送信可能であり、前記制御手段は、前記リモコンから、前記操作キーを表すアイコン画像を前記外部記憶媒体に記憶されたアイコン画像に変更するよう指示するリモコン信号を受信した場合、該アイコン画像の変更を指示するリモコン信号の内容に基づき、変更後のアイコン画像を前記アイコン画像記憶手段に記憶するものである。
【００１１】
また、請求項３の発明は、請求項１又は請求項２に記載のモニタ装置において、前記ポインティングデバイスはタッチパネルであるものである。
【発明の効果】
【００１２】
請求項１の発明によれば、操作キーを表すアイコン画像の変更を指示するリモコン信号を受信した場合、このリモコン信号の内容に基づき、変更後のアイコン画像を記憶する。そのため、操作キーを表すアイコン画像を、ユーザの好みのアイコン画像に変更することができるので、アイコン画像と操作との対応関係を分かり易くすることができ、ユーザが所望の操作に対応するアイコン画像を容易に見つけることができる。従って、ユーザによるリモコン操作の手間を低減できる。
【００１３】
請求項２の発明によれば、操作キーを表すアイコン画像を外部記憶媒体に記憶されたアイコン画像に変更するよう指示するリモコン信号を受信した場合、このリモコン信号の内容に基づき、変更後のアイコン画像を記憶する。そのため、操作キーを表すアイコン画像を、外部記憶媒体に記憶されたアイコン画像に変更することができるので、ユーザの好みのアイコン画像にさらに容易に変更することができる。従って、アイコン画像と操作との対応関係を分かり易くすることができ、ユーザが所望の操作に対応するアイコン画像を容易に見つけることができるため、ユーザによるリモコン操作の手間を低減できる。
【図面の簡単な説明】
【００１４】
【図１】本発明の一実施形態に係るＴＶ受像機と、このＴＶ受像機を操作するためのリモコンとを示す斜視図。
【図２】上記ＴＶ受像機の内部構成を示すブロック図。
【図３】上記リモコンの上面を示す上面図。
【図４】上記ＴＶ受像機におけるリモコン画像変更モードの処理手順を示すフローチャート。
【図５】（ａ）〜（ｃ）は、上記アイコン画像変更モード時におけるディスプレイの表示の一例を示す説明図。
【図６】上記アイコン画像変更モードにおけるリモコンの操作手順を示す説明図。
【図７】（ａ）〜（ｃ）は、上記アイコン画像変更モード時におけるディスプレイの表示の別の一例を示す説明図。
【発明を実施するための形態】
【００１５】
以下、本発明の一実施形態に係るテレビジョン受像機（請求項におけるモニタ装置）について、図１乃至図３を参照して説明する。図１は、リモコン２により操作されるテレビジョン（以下、ＴＶという）受像機１の外観を示し、図２は、ＴＶ受像機１の内部構成を示し、図３は、リモコン２の上面を示す。ＴＶ受像機１は、ＵＳＢ（Ｕｎｉｖｅｒｓａｌ  Ｓｅｒｉａｌ  Ｂｕｓ）メモリ（外部記憶媒体）３を接続可能なＵＳＢポート（接続部）１８と、ディスプレイ１４を備え、ディスプレイ１４にはリモコンを模したリモコン画像を表示可能である。リモコン画像には、リモコン２を用いて操作可能な操作キーを表すアイコン画像が含まれる。ユーザは、このリモコン画像を見ながらリモコン２を操作して、所望の操作（キー）に対応するアイコン画像を選択することにより、このアイコン画像に対応する操作をＴＶ受像機１に指示できる。
【００１６】
ＴＶ受像機１は、図２に示すように、アンテナ１１に接続され、デジタル放送信号を受信するチューナ部１２と、デコーダ部１３と、ＴＶ番組等の映像を表示するディスプレイ（表示手段）１４と、音声を出力するスピーカ１５と、リモコン２から送信されるリモコン信号を受信するリモコン信号受信部（受信手段）１６と、ＨＤＭＩ規格に対応した外部機器を接続するためのＨＤＭＩ端子部１７と、ＵＳＢ（Ｕｎｉｖｅｒｓａｌ  Ｓｅｒｉａｌ  Ｂｕｓ）ポート（接続手段）１８と、各種情報を記憶したメモリ（アイコン画像記憶手段）１９と、装置各部を制御するための制御用マイコン（制御手段）１０とをさらに備える。
【００１７】
チューナ部１２は、アンテナ１１を介して、放送局から配信される各チャンネルのデジタル放送信号を受信する。デジタル放送信号には、ＴＶ番組の映像信号及び音声信号と、配信されるＴＶ番組の番組タイトル等の番組情報とが含まれている。
【００１８】
デコーダ部１３は、チューナ部１２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００１９】
映像デコード回路は、映像信号を含むＴＳパケットに対して復号化処理を行い、映像信号を抽出し、抽出した映像信号を制御用マイコン１０に出力する。音声デコード回路は、音声信号を含むＴＳパケットに対して復号化処理を行い、音声信号を抽出し、抽出した音声信号を制御用マイコン１０に出力する。データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータを制御用マイコン１０に出力する。
【００２０】
ディスプレイ１４は、チューナ部１２によって受信されたＴＶ番組の映像や、リモコン画像を表示する。スピーカ１５は、チューナ部１２によって受信されたＴＶ番組の音声を出力する。
【００２１】
リモコン信号受信部１６は、リモコン２から送信される赤外線のリモコン信号を受信し、受信したリモコン信号を電気信号に変換して制御用マイコン１０に転送する。ＵＳＢポート１８は、ＵＳＢ規格に従う接続端子３１を有するＵＳＢメモリ３が接続され、接続されたＵＳＢメモリ３から供給される画像データを受信して、制御用マイコン１０に転送する。
【００２２】
メモリ１９は、制御用マイコン１０を動作させるためのプログラム１９ａと、アイコン画像１９ｂと、アイコン対応情報１９ｃとを格納している。アイコン画像１９ｂは、リモコン画像に含まれるアイコン画像である。アイコン対応情報１９ｃは、リモコン２を用いて操作可能な操作（キー）のそれぞれに対応するアイコン画像１９ｂの対応情報を格納している。この対応情報は、具体的には例えば、操作キー「ＥＰＧ」を表す（ＥＰＧの表示操作に対応する）アイコン画像は「アイコン画像Ａ」である等の情報である。
【００２３】
制御用マイコン１０は、映像出力部１０ａと、音声出力部１０ｂと、リモコン操作制御部１０ｃと、データアクセス部１０ｄと、ＨＤＭＩ通信制御部１０ｅとを有し、ユーザによるリモコン２の操作に基づいて自装置の制御処理を行う。また、制御用マイコン１０は、操作キーを表すアイコン画像１９ｂを変更するためのリモコン画像変更モード等の各種動作モードを有する。
【００２４】
映像出力部１０ａは、デコーダ部１３から受信したＴＶ番組の映像信号をディスプレイ１４に出力する。音声出力部１０ｂは、デコーダ部１３から受信したＴＶ番組の音声信号をスピーカ１５に出力する。
【００２５】
リモコン操作制御部１０ｃは、アイコン画像１９ｂを含むリモコン画像をディスプレイ１４に表示する処理や、ユーザがリモコン２を用いて選択したアイコン画像１９ｂに対応する操作（キー）の判定処理を行う。また、リモコン操作制御部１０ｃは、リモコン画像変更モード時におけるアイコン画像１９ｂや、データアクセス部１０ｄによって受信されたアイコン画像をディスプレイ１４に表示する処理を行う。
【００２６】
データアクセス部１０ｄは、ＵＳＢポート１８に接続されたＵＳＢメモリ３に対して、データの読み出しや書き込みを行う。ＨＤＭＩ通信制御部１０ｅは、ＨＤＭＩ端子部１７に接続された外部機器に対して、ＨＤＭＩ−ＣＥＣに基づくＣＥＣコマンド及びレスポンスデータの送受信や、映像信号及び音声信号の受信を行う。
【００２７】
リモコン２は、図３に示すように、ポインティングデバイス２１と、ユーザの操作に応じたリモコン信号を送信するためのリモコン信号送信部２０とを備える。ポインティングデバイス２１は、タッチパネル（タブレット）によって構成されており、第１タッチパネル２１ａと、第２タッチパネル２１ｂとを有する。
【００２８】
リモコン２は、ユーザがタッチパネル（ポインティングデバイス）２１の上面に触れると、このタッチパネル２１からの信号に基づくリモコン信号を、リモコン信号送信部２０を用いてＴＶ受像機１に送信する。従って、ユーザは、タッチパネル２１に触れることにより、ＴＶ受像機１の各種操作を行うことができる。具体的には例えば、ユーザは、タッチパネル２１をすばやく触れることにより選択操作を行うことができる。また、ユーザは、同じ箇所を数秒間触り続けることにより確定操作を行うことができる。また、ユーザは、タッチパネル２１に触れたまま、所望の位置まで指を移動させた後に離すことにより確定操作を行うこともできる。
【００２９】
次に、ＴＶ受像機１のリモコン画像変更モード時における処理手順について、図４に示すフローチャートを参照して説明する。ここでは、ＵＳＢメモリ３にアイコン画像が記憶されているものとする。
【００３０】
まず、ユーザがＴＶ受像機１のＵＳＢポート１８にＵＳＢメモリ３を接続し（Ｓ１）、リモコン２を操作することにより、ＴＶ受像機１の動作モードをリモコン画像変更モードに切替える（Ｓ２）。
【００３１】
すると、制御用マイコン１０は、データアクセス部１０ｄを用いて、ＵＳＢメモリ３に記憶されているアイコン画像を読み出した後（Ｓ３）、リモコン操作制御部１０ｃを用いて、その時点で操作キーを表す（操作キーに対応している）アイコン画像１９ｂと、ＵＳＢメモリ３から読み出したアイコン画像とをディスプレイ１４に表示する（Ｓ４）。
【００３２】
そして、ユーザによるリモコン２の操作により、操作キーを表すアイコン画像を、ＵＳＢメモリ３に格納されたアイコン画像に変更するよう指示されると（Ｓ５）、制御用マイコン１０は、ユーザによる変更指示内容に基づき、変更後のアイコン画像を、メモリ１９のアイコン画像１９ｂに格納すると共に、操作キーを表すアイコン画像のアイコン対応情報１９ｃの内容を更新する（Ｓ６）。
【００３３】
次に、リモコン画像変更モード時におけるディスプレイ１４の表示の一例と、ユーザによるリモコン２の操作について、図５及び図６を参照して説明する。また、上記図４に示したリモコン画像変更モード時における処理手順との対応を適宜説明する。図５の（ａ）〜（ｃ）のそれぞれは、ディスプレイ１４に表示される操作キーを表すアイコン画像１９ｂと、ＵＳＢメモリ３から読み出したアイコン画像Ｂ１、Ｂ２との一例を示す。図６は、リモコン２の第１タッチパネル２１ａにおけるユーザの操作の一例を示す。
【００３４】
ここでは、図５中の領域Ｎには、アイコン画像Ａ１、アイコン画像Ａ２等のアイコン画像１９ｂが表示され、領域Ｍには、ＵＳＢメモリ３から読み出したアイコン画像Ｂ１、アイコン画像Ｂ２等が表示されているものとする。また、アイコン画像Ａ１は操作キー「ＩＮＦＯ」を表し、アイコン画像Ａ２は操作キー「ＥＰＧ」を表すものとする。本例において、ユーザは、操作キー「ＩＮＦＯ」を表すアイコン画像Ａ１を、アイコン画像Ｂ１に変更するものとする。
【００３５】
まず、図５（ａ）に示す表示状態のときに（上記Ｓ４に対応）、ユーザは、リモコン２の第１タッチパネル２１ａに触れることにより、アイコン画像Ｂ１を選択する。そして、図５（ｂ）に示すように、図５（ｂ）中の点線矢印方向にアイコン画像Ｂ１を移動させて、アイコン画像Ａ１に重ねると（上記Ｓ５に対応）、図５（ｃ）に示すように、操作キー「ＩＮＦＯ」を表すアイコン画像がアイコン画像Ｂ１に変更される（上記Ｓ６に対応）。すなわち、操作キー「ＩＮＦＯ」を表すアイコン画像が丸型からハート型に変更される。
【００３６】
このときのユーザによるリモコン２の操作は、図６に示すように、まず、ユーザが指で第１タッチパネル２１ａ上のアイコン画像Ｂ１を選択するための点Ｆ１をタッチしてアイコン画像Ｂ１を選択する。そして、第１タッチパネル２１ａを触ったまま、指を、点Ｆ１から、アイコン画像Ａ１の位置を示す点Ｆ２までトレース（ドラッグ）する。すなわち、アイコン画像Ｂ１を、アイコン画像Ａ１の位置まで移動させる（上記Ｓ５に対応）。そして、ユーザが第１タッチパネル２１ａから指を話すと、操作キー「ＩＮＦＯ」を表すアイコン画像Ａ１をアイコン画像Ｂ１に変更する旨の確定が指示され、制御用マイコン１０が、アイコン画像Ｂ１をアイコン画像１９ｂに格納し、アイコン対応情報１９ｃの内容を更新する（上記Ｓ６に対応）。
【００３７】
次に、リモコン画像変更モード時におけるディスプレイ１４の表示の別の一例について、図７を参照して説明する。図７の（ａ）〜（ｃ）のそれぞれは、ディスプレイ１４に表示されるリモコン画像Ｒ内の操作キーを表すアイコン画像１９ｂと、ＵＳＢメモリ３から読み出したアイコン画像Ｂ１、Ｂ２との別の一例を示す。
【００３８】
ここでは、図７中の領域Ｒには、操作キーを表すアイコン画像１９ｂのうち、アイコン画像Ｄ１〜Ｄ３が表示され、領域Ｍには、ＵＳＢメモリ３から読み出したアイコン画像Ｂ１とアイコン画像Ｂ２とが表示されているものとする。また、アイコン画像Ｄ１は操作キー「ＩＮＦＯ」を表し、アイコン画像Ｄ２は操作キー「ＥＰＧ」を表し、アイコン画像Ｄ３は数字キー「０」〜「９」を表すものとする。本例において、ユーザは、操作キー「ＩＮＦＯ」を表すアイコン画像Ｄ１を、アイコン画像Ｂ１に変更するものとする。
【００３９】
まず、図７（ａ）に示す表示状態のときに、ユーザは、リモコン２の第１タッチパネル２１ａに触れることにより、アイコン画像Ｂ１を選択する。そして、図７（ｂ）に示すように、図７（ｂ）中の点線矢印方向にアイコン画像Ｂ１を移動させて、リモコン画像Ｒ内のアイコン画像Ｄ１に重ねると、図７（ｃ）に示すように、操作キー「ＩＮＦＯ」を表すアイコン画像Ｄ１がアイコン画像Ｂ１に変更される。すなわち、操作キー「ＩＮＦＯ」を表すアイコン画像が丸型からハート型に変更される。
【００４０】
上述したように、本実施形態に係るＴＶ受像機１においては、リモコン画像変更モードで動作しているときに、操作キーを表すアイコン画像の変更を指示するリモコン信号を受信した場合、このリモコン信号の内容に基づき、変更後のアイコン画像をメモリ１９のアイコン画像１９ｂに記憶し、アイコン対応情報１９ｃを更新する。そのため、操作キーを表すアイコン画像を、ユーザの好みのアイコン画像に変更することができるので、アイコン画像と操作（操作キー）との対応関係を分かり易くすることができ、ユーザが、所望の操作キーを表すアイコン画像を容易に見つけることができる。従って、ユーザによるリモコン操作の手間を低減できる。
【００４１】
また、リモコン画像変更モードで動作しているときに、操作キーを表すアイコン画像をＵＳＢメモリ３に記憶されたアイコン画像に変更するよう指示するリモコン信号を受信した場合、このリモコン信号の内容に基づき、変更後のアイコン画像をメモリ１９のアイコン画像１９ｂに記憶し、アイコン対応情報１９ｃを更新する。そのため、操作キーを表すアイコン画像を、ＵＳＢメモリ３に記憶されたアイコン画像に変更することができるので、ユーザの好みのアイコン画像にさらに容易に変更することができる。従って、アイコン画像と操作（操作キー）との対応関係を分かり易くすることができ、ユーザが、所望の操作キーを表すアイコン画像を容易に見つけることができるため、ユーザによるリモコン操作の手間を低減できる。
【００４２】
なお、本発明は、上記実施形態の構成に限られず、発明の趣旨を変更しない範囲で種々の変形が可能である。例えば、上記実施形態において、請求項に示すモニタ装置がＴＶ受像機である例を示したが、これに限られず、リモコンを用いてディスプレイ上に表示されたリモコン画像を選択して操作可能な機器であればよい。
【００４３】
また、上記実施形態では、請求項に示す外部記憶媒体がＵＳＢメモリである例を示したが、これに限られず、アイコン画像を記憶したＣＤやＤＶＤ等の光ディスクであってもよい。また、ここでは、アイコン画像を、ＵＳＢメモリ３に記憶されたアイコン画像に変更する例を示したが、これに限られず、ＴＶ受像機内に予め記憶されていたアイコン画像に変更してもよい。また、ＨＤＭＩ端子部に接続された外部機器から供給されたアイコン画像に変更してもよい。
【符号の説明】
【００４４】
１  ＴＶ受像機（モニタ装置）
２  リモコン（リモコン）
３  ＵＳＢメモリ（外部記憶媒体）
１０  制御用マイコン（制御手段）
１４  ディスプレイ（表示手段）
１６  リモコン信号受信部（受信手段）
１８  ＵＳＢポート（接続手段）
１９  メモリ（アイコン画像記憶手段）
Ｒ  リモコン画像
【図１】
2012119998.tif 000003
【図２】
2012119998.tif 000004
【図３】
2012119998.tif 000005
【図４】
2012119998.tif 000006
【図５】
2012119998.tif 000007
【図６】
2012119998.tif 000008
【図７】
2012119998.tif 000009